(57)【要約】【課題】  本考案は、装着と取外しが容易ながら３５０ｃｃ〜５００ｃｃの飲料入りペットボトルを脱落することなく安定して携帯することができ、さらに景品袋をペットボトルのラベル表示を隠すことなくしてボトルの首部に取付けることのできるペットボトルホルダーを新規に提供するものである。【解決手段】  本考案は飲料入りのペットボトルの首部にしなりと復元性をもって脱着する開口部付のＣ形本体と、該Ｃ形本体の該開口部に相対する中心外面に景品袋持ち上げ用を兼ねた携帯用の万能止輪を設けたことを特徴とする簡易ペットボトルホルダーにある。【選択図】  図２
0003147117.tif 000002
【実用新案登録請求の範囲】
【請求項１】
飲料入りのペットボトルの首部にしなりと復元性をもって脱着する開口部付のＣ形本体と、該Ｃ形本体の該開口部に相対する中心外面にカラビナ等の取付け可能な万能止輪を設けたことを特徴とする簡易ペットボトルホルダー。
【請求項２】
Ｃ形本体の開口部を挟んだ両端に上向きまたは下向きあるいは上下両向きのボトル止め突起を設ける請求項１に記載の簡易ペットボトルホルダー。
【請求項３】
Ｃ形本体は万能止輪を挟んだ両側または一側にバネ反撥片を設ける請求項１または２に記載の簡易ペットボトルホルダー。
【請求項４】
万能首輪は水平のほか、直角立てを含む大小の上向き角度を設けて、簡易ペットボトルホルダーに掛け下げる景品袋を持ち上げるようにした請求項１乃至３のいずれかに記載の簡易ペットボトルホルダー。
【請求項５】
飲料入りのペットボトルの首部にしなりと復元性をもって脱着する開口部付のＣ形本体と、該Ｃ形本体の該開口部に相対する中心外面に景品袋持ち上げ用を兼ねた携帯用の万能止輪を設けたことを特徴とする簡易ペットボトルホルダー。
【考案の詳細な説明】
【技術分野】
【０００１】
この考案は簡易ペットボトルホルダーに関するものである。
【背景技術】
【０００２】
従来、ペットボトルホルダーは一定幅のベルトを取付けてペットボトルを吊下げ携帯するようにしている。
また、飲料入りのペットボトルは景品袋またはキャンペーン告知札などをつけて販売するタイプが増えている（特開２００４−１５７３１７号公報、図１参照）。
【特許文献１】特開２００４−１５７３１７号公報
【考案の開示】
【考案が解決しようとする課題】
【０００３】
しかしながら、一定幅のベルトではペットボトルを腰ベルトに通して携帯し、バッグの提手等に簡単に装着することができないという課題があった。
また、飲料入りのペットボトルの首部に吊下げる景品袋は図７（ａ）に示すようにペットボトルのラベル前に垂れ下がってラベルを隠して見えなくしているという課題があり、かかるために図７（ｂ）に示すように景品袋の下端をラベル上に引き上げてテープＴ止めするなど余分な手間を要しているという課題があった。
【課題を解決するための手段】
【０００４】
本考案は、飲料入りのペットボトルの首部にしなりと復元性をもって脱着する開口部付のＣ形本体と、該Ｃ形本体の該開口部に相対する中心外面にカラビナ等の取付け可能な万能止輪を設けて構成して、かかる課題を解決するようにしたのである。
【考案の効果】
【０００５】
本考案は万能止輪によって、カラビナ等を通して飲料入りペットボトルを腰ベルトに通し止め携帯すること、バッグの提手等に簡単に取付けることができるという効果を生ずる。
【０００６】
ペットボトルホルダーを裸の状態でまたはＰＰ袋等に封入して飲料入りペットボトルの首部に装着することで、ペットボトルのラベルを隠すことなしに該ボトルを販売することができるという効果を生ずる。
【０００７】
飲料入りのペットボトルにホルダーと景品袋をセットにして取付け販売することができ、しかも万能止輪が景品袋を持ち上げることでボトルのラベルを隠すことがなくなるという効果を生ずる。
【考案を実施するための最良の形態】
【０００８】
本考案はしなりと復元性をもってペットボトルの首部に脱着する開口部付のＣ形本体と、該Ｃ形本体の該開口部を挟んだ両端に上向き，下向きまたは上下両向きのボトル止め突起を設け、あるいは万能止輪を挟んだ両側または一側にバネ反撥片を設け、且つＣ形本体の該開口部に相対する中心外面に景品袋持ち上げ用を兼ねた携帯用の万能止輪を設けて構成する。
【実施例１】
【０００９】
図１に示すように開口部１を有すＣ形本体２を形成し、中心外面に景品袋持ち上げ用を兼ねた携帯用の万能止輪４を突設する。万能止輪４は図１の（ｂ）に示すように水平のほか、図１（ｃ）（ｄ）に示すように大小の上向き傾斜を付し、または直角立てにして設けて簡易ペットボトルホルダー５を構成するのである。なお、ペットボトルホルダー５は携帯用として販売される３５０ｃｃ〜５００ｃｃを内容量とする飲料入りのペットボトル６を携帯時に脱落させることがないように強靱で復元性にすぐれたしなる素材にて形成する。
【００１０】
該ボトルホルダー５を図２に示すように携帯用に市販されている飲料入りペットボトル６のキャップ７下の首部８に開口部１から押し嵌めて取付けする。強靱でしなりを有し且つ復元性にすぐれることで、取付けたホルダー５はみだりに首部８から外れることはない。
【００１１】
万能止輪４に図３に示すように例えばカラビナ９を通して腰ベルト１０に装着し、またはバッグの提手に取付けて飲料入りペットボトル６を携帯するのである。
【００１２】
ホルダー５をペットボトル６から取外すときはホルダー５をひねりながら開口部１を開くようにして引抜くのである。ホルダー５はペットボトル６から外されることとなる。
【００１３】
ペットボトルホルダー５は市販する飲料入りペットボトル６の首部８に直接または図４に示すようにＰＰ袋Ｂに入れた状態にて取付けて提供するのである。
【実施例２】
【００１４】
図５（ａ）（ｂ）はＣ形本体２の両端に上向きまたは下向き、あるいは上下両向きのボトル止め突起３を設けた他の実施例を示すものである。さらに図４（ｃ）は万能止輪４を挟んだ一側に内向きのバネ反撥片３ａを設けた実施例を示すもので、これらのボトル止め突起３またはバネ反撥片３ａを設けることでホルダー５の首部８に取付けた姿勢をより安定させて、衝撃等が加わってもホルダー５が首部８から不意に脱落することは生じないこととなる。
【実施例３】
【００１５】
飲料入りペットボトル６が景品袋１１付の時は、図６（ａ）に示すように景品袋１１の上部に２つの吊下げ孔１２を設けてホルダー５に通して首部８に吊下げ装着するのである。景品袋１１の折返し下半は図６（ｂ）（ｃ）に示すように、万能止輪４によって持ち上げられてボトル６のラベル１３を隠すことがなくなる。
この際、上向きの万能止輪４が有効である。従って万能止輪４の上向き角度は直角立てを含めて大小にかえられることがある。
【産業上の利用可能性】
【００１６】
本考案は、飲料入りペットボトルの携帯用として、また、景品袋付ペットボトルの景品袋持ち上げ用として広く利用されるものである。
【図面の簡単な説明】
【００１７】
【図１】（ａ）はペットボトルホルダーの平面斜視図、（ｂ）は同、側面図、（ｃ）は万能止輪に上向きの角度を設けた例、（ｄ）は同、直角立てした例を示す側面図
【図２】（ａ）乃至（ｃ）はペットボトルホルダーをペットボトルの首部に押し嵌め取付けする状態を示す一部断面にして示す平面図
【図３】万能止輪にカラビナを通して腰ベルトに装着した状態を示す斜視図
【図４】ペットボトルホルダーをＰＰ袋に入れて市販するペットボトルの首部に装着して提供する状態を示す正面図
【図５】（ａ）はＣ形本体の両端に上向きのボトル止め突起を形成した例を示す平面図と側面図、（ｂ）は同、一端に上向き、他端に下向きのボトル止め突起を形成した例を示す平面図と側面図、（ｃ）は万能止輪を挟んだ一側端に上向きのボトル止め突起、他側内面にバネ反撥片を設けた例を示す平面図と側面図
【図６】（ａ）は景品袋の吊下げ穴をペットボトルホルダーに通して首部に嵌め付けた状態を景品袋の下半の裏面を見せて示す正面図、（ｂ）は景品袋の下半を吊下げた状態にて示す正面図、（ｃ）は同、側面図
【図７】従来例を示すもので、（ａ）は吊下げた景品袋がラベルの文字を隠している状態を示す正面図、（ｂ）は景品袋の下端を上げてテープ止めした状態を示す正面図
【符号の説明】
【００１８】
１は開口部
２はＣ形本体
３はボトル止め突起
４は携帯用と景品袋持ち上げを兼ねた万能止輪
５はペットボトルホルダー
６はペットボトル
７はキャップ
８は首部
９はカラビナ
１０は腰ベルト
１１は景品袋
１２は吊下げ孔
１３はペットボトルのラベル
Ｔはテープ
ＢはＰＰ袋
【図１】
0003147117.tif 000003
【図２】
0003147117.tif 000004
【図３】
0003147117.tif 000005
【図４】
0003147117.tif 000006
【図５】
0003147117.tif 000007
【図６】
0003147117.tif 000008
【図７】
0003147117.tif 000009
【手続補正書】
【提出日】平成20年10月9日(2008.10.9)
【手続補正１】
【補正対象書類名】図面
【補正対象項目名】図３
【補正方法】変更
【補正の内容】
【図３】
0003147117.tif 000010
【手続補正２】
【補正対象書類名】図面
【補正対象項目名】図４
【補正方法】変更
【補正の内容】
【図４】
0003147117.tif 000011
【手続補正３】
【補正対象書類名】図面
【補正対象項目名】図６
【補正方法】変更
【補正の内容】
【図６】
0003147117.tif 000012
【手続補正４】
【補正対象書類名】図面
【補正対象項目名】図７
【補正方法】変更
【補正の内容】
【図７】
0003147117.tif 000013